(57)【要約】【課題】会議の資料等のコンテンツの表示を極力阻害することなく、当該コンテンツの付属情報を表示させることができるコンテンツ表示支援装置、および、コンテンツ表示支援システムを提供する。【解決手段】プロジェクターによって投影される画面８０１には「ＡＡＡ機能」「ＢＢＢ機能」という項目が表示される。サーバーは、この画面に、上記項目に関連したタグを合成させて、携帯端末２００へ送信する。これにより、携帯端末２００の操作パネル２５の画面では、これらの項目に関するタグ（タグ９０１，９０２）が表示される。【選択図】図６
2013025565.tif 000002
【特許請求の範囲】
【請求項１】
コンテンツの表示の進行の度合いを特定する情報を受信するための受信手段と、
前記コンテンツの表示の進行の度合いと、前記コンテンツとともに表示する付属情報とを関連付けて記憶するための記憶手段と、
前記記憶手段において、前記受信手段が受信した進行の度合いと関連付けられた付属情報を表示装置に送信するための制御手段とを備える、コンテンツ表示支援装置。
【請求項２】
前記記憶手段は、前記コンテンツをさらに記憶し、
前記制御手段は、前記コンテンツを前記付属情報と合成して、前記表示装置へ送信する、請求項１に記載のコンテンツ表示支援装置。
【請求項３】
前記進行の度合いを特定する情報は、前記コンテンツにおける表示対象のページ情報、前記コンテンツの表示開始からの経過時間、前記コンテンツのファイル名、前記表示装置において入力された情報の種類、または、前記表示装置において入力された情報に対して所定の処理がなされた結果である、請求項１または請求項２に記載のコンテンツ表示支援装置。
【請求項４】
前記制御手段は、期間、前記表示装置の場所、および、前記表示装置の使用者の少なくとも１つを限定して、前記付属情報を前記表示装置に送信する、請求項１〜請求項３のいずれかに記載のコンテンツ表示支援装置。
【請求項５】
コンテンツの表示を指示する情報処理装置と、前記情報処理装置と通信可能なコンテンツ表示支援装置と、前記コンテンツ表示支援装置と通信可能な情報端末とを備えたコンテンツ表示支援システムであって、
前記情報処理装置は、
前記コンテンツの表示の進行度合いを特定する情報を前記コンテンツ表示支援装置へ送信するための送信手段を備え、
前記コンテンツ表示支援装置は、
コンテンツの表示の進行の度合いを特定する情報を受信するための受信手段と、
前記コンテンツの表示の進行の度合いと、前記コンテンツとともに表示する付属情報とを関連付けて記憶するための記憶手段と、
前記記憶手段において、前記受信手段が受信した進行の度合いと関連付けられた付属情報を、前記情報端末に送信するための制御手段とを備える、コンテンツ表示支援システム。
【請求項６】
前記記憶手段は、前記コンテンツをさらに記憶し、
前記制御手段は、前記コンテンツを前記付属情報と合成して、前記情報端末へ送信する、請求項５に記載のコンテンツ表示支援システム。
【請求項７】
前記制御手段は、期間、前記情報端末の場所、および、前記情報端末の使用者の少なくとも１つを限定して、前記付属情報を前記情報端末に送信する、請求項５または請求項６に記載のコンテンツ表示支援システム。
【請求項８】
コンテンツの表示を指示する情報処理装置と、前記情報処理装置と通信可能なコンテンツ表示支援装置と、前記コンテンツ表示支援装置と通信可能な情報端末とを備えたコンテンツ表示支援システムであって、
前記情報処理装置は、
前記コンテンツの表示の進行度合いを特定する情報を前記コンテンツ表示支援装置へ送信するための送信手段を備え、
前記コンテンツ表示支援装置は、
コンテンツの表示の進行の度合いを特定する情報を受信するための受信手段と、
前記受信手段が受信した前記進行の度合いを前記情報端末に送信する送信手段とを備え、
前記情報端末は、
前記コンテンツの表示の進行の度合いと、前記コンテンツとともに表示する付属情報とを関連付けて記憶するための記憶手段と、
前記記憶手段において、前記情報端末が受信した進行の度合いと関連付けられた付属情報を、前記コンテンツとともに表示するための制御手段とを備える、コンテンツ表示支援システム。
【請求項９】
前記進行の度合いを特定する情報は、前記コンテンツにおける表示対象のページ情報、前記コンテンツの表示開始からの経過時間、前記コンテンツのファイル名、前記情報端末において入力された情報の種類、または、前記情報端末において入力された情報に対して所定の処理がなされた結果である、請求項５〜請求項８のいずれかに記載のコンテンツ表示支援システム。
【発明の詳細な説明】
【技術分野】
【０００１】
本発明は、コンテンツ表示支援装置、および、コンテンツ表示支援システムに関し、コンテンツの表示の進行度合いに合わせて付属情報を表示するためのコンテンツ表示支援装置、および、コンテンツ表示支援システムに関する。
【背景技術】
【０００２】
従来から、会議支援システムに関し、種々の技術が開示されてきた。
たとえば、特許文献１（特開２０１０−１７６６０３号公報）には、会議資料をスライドで表示する会議支援システムが開示されている。当該システムでは、参加者によりメモ書きが書き込まれるメモ媒体が、常時撮影される。会議中、スライドの表示の切替の際に、当該スライドの表示開始時点のメモ媒体の撮影画像と、表示切替時点のノートの撮影画像との差分が抽出される。そして、当該差分の領域画像データと表示切替時点の撮影画像とを含む差分情報が生成され、スライドＩＤと差分情報とが関連付けられて記憶される。また、会議後に、メモ媒体の撮影画像と差分情報とが照合され、差分画像が、対応するスライドとともに表示される。
【０００３】
また、特許文献２（特開２００７−２８６７８０号公報）には、画像データを会議参加者が見えるように表示する電子会議システムが開示されている。当該システムでは、会議参加者がアイデア等を携帯端末装置の手書き画面にメモ書きすると、当該メモ書きが、会議制御装置に取り込まれる。そして、当該メモ書きが、付箋画像として、表示中の画像データと合成された画面イメージとして、ユーザの携帯端末装置に表示される。
【先行技術文献】
【特許文献】
【０００４】
【特許文献１】特開２０１０−１７６６０３号公報
【特許文献２】特開２００７−２８６７８０号公報
【発明の概要】
【発明が解決しようとする課題】
【０００５】
従来の会議支援システムについて、上記したようなユーザから手書き等によって入力される情報の共有だけでなく、会議中に補足資料の提供が必要とされる場合もあった。
【０００６】
ここで、たとえば特許文献２に開示された技術において、メモ書きの代わりに付属情報の画像データを、表示中の画像データと合成して表示することが考えられる。しかしながら、この場合、付属情報の量が多くなると最初に表示しようとした画像が見えなくなる事態が想定される。
【０００７】
本発明は、かかる実情に鑑み考え出されたものであり、その目的は、会議の資料等のコンテンツの表示を極力阻害することなく、当該コンテンツの付属情報を表示させることができるコンテンツ表示支援装置、および、コンテンツ表示支援システムを提供することである。
【課題を解決するための手段】
【０００８】
本発明に従ったコンテンツ表示支援装置は、コンテンツの表示の進行の度合いを特定する情報を受信するための受信手段と、コンテンツの表示の進行の度合いと、コンテンツとともに表示する付属情報とを関連付けて記憶するための記憶手段と、記憶手段において、受信手段が受信した進行の度合いと関連付けられた付属情報を表示装置に送信するための制御手段とを備える。
【０００９】
好ましくは、記憶手段は、コンテンツをさらに記憶し、制御手段は、コンテンツを付属情報と合成して、表示装置へ送信する。
【００１０】
好ましくは、進行の度合いを特定する情報は、コンテンツにおける表示対象のページ情報、コンテンツの表示開始からの経過時間、コンテンツのファイル名、表示装置において入力された情報の種類、または、表示装置において入力された情報に対して所定の処理がなされた結果である。
【００１１】
好ましくは、制御手段は、期間、表示装置の場所、および、表示装置の使用者の少なくとも１つを限定して、付属情報を表示装置に送信する。
【００１２】
本発明に従ったコンテンツ表示支援システムは、コンテンツの表示を指示する情報処理装置と、情報処理装置と通信可能なコンテンツ表示支援装置と、コンテンツ表示支援装置と通信可能な情報端末とを備えたコンテンツ表示支援システムであって、情報処理装置は、コンテンツの表示の進行度合いを特定する情報をコンテンツ表示支援装置へ送信するための送信手段を備え、コンテンツ表示支援装置は、コンテンツの表示の進行の度合いを特定する情報を受信するための受信手段と、コンテンツの表示の進行の度合いと、コンテンツとともに表示する付属情報とを関連付けて記憶するための記憶手段と、記憶手段において、受信手段が受信した進行の度合いと関連付けられた付属情報を、情報端末に送信するための制御手段とを備える。
【００１３】
好ましくは、記憶手段は、コンテンツをさらに記憶し、制御手段は、コンテンツを付属情報と合成して、情報端末へ送信する。
【００１４】
好ましくは、制御手段は、期間、情報端末の場所、および、情報端末の使用者の少なくとも１つを限定して、付属情報を情報端末に送信する。
【００１５】
本発明のさらに他の局面に従ったコンテンツ表示支援システムは、コンテンツの表示を指示する情報処理装置と、情報処理装置と通信可能なコンテンツ表示支援装置と、コンテンツ表示支援装置と通信可能な情報端末とを備えたコンテンツ表示支援システムであって、情報処理装置は、コンテンツの表示の進行度合いを特定する情報をコンテンツ表示支援装置へ送信するための送信手段を備え、コンテンツ表示支援装置は、コンテンツの表示の進行の度合いを特定する情報を受信するための受信手段と、受信手段が受信した進行の度合いを情報端末に送信する送信手段とを備え、情報端末は、コンテンツの表示の進行の度合いと、コンテンツとともに表示する付属情報とを関連付けて記憶するための記憶手段と、記憶手段において、情報端末が受信した進行の度合いと関連付けられた付属情報を、コンテンツとともに表示するための制御手段とを備える。
【００１６】
好ましくは、進行の度合いを特定する情報は、コンテンツにおける表示対象のページ情報、コンテンツの表示開始からの経過時間、コンテンツのファイル名、情報端末において入力された情報の種類、または、情報端末において入力された情報に対して所定の処理がなされた結果である。
【発明の効果】
【００１７】
本発明によれば、コンテンツの表示の進行の度合いを特定する情報を受信した場合に、会議支援装置は、当該進行の度合いに合わせたコンテンツと、当該進行の度合いに関連付けられた付属情報とを、表示装置に表示させる。
【００１８】
これにより、コンテンツについてのすべての付属情報が同時に表示される場合と比較して、同時に表示される付属情報の量を削減でき、コンテンツの表示を極力阻害しない態様で付属情報を表示できる。
【図面の簡単な説明】
【００１９】
【図１】コンテンツ表示支援システムの一実施の形態である会議支援システムの概略構成を示す図である。
【図２】図１の会議支援システムにおける情報の流れを説明するための図である。
【図３】図２の携帯端末のハードウェア構成の具体例を示す図である。
【図４】図２のサーバーのハードウェア構成の具体例を示す図である。
【図５】タグ関連テーブルの内容を模式的に示す図である。
【図６】図２の携帯端末において表示される画面の内容を説明するための図である。
【図７】図２の携帯端末において表示される画面の内容を説明するための図である。
【図８】詳細情報登録テーブルの内容を模式的に示す図である。
【図９】図２の携帯端末の操作パネルにおける表示画面の一例である。
【図１０】図２のサーバーにおいて実行されるタグ表示処理のフローチャートである。
【図１１】図９の表示画面の変形例を示す図である。
【図１２】図５のタグ関連テーブルの変形例を示す図である。
【図１３】図２のシステム構成の変形例を示す図である。
【図１４】図５のタグ関連テーブルの他の変形例を示す図である。
【図１５】ユーザーをグループ分けするための情報の内容の一例を模式的に示す図である。
【図１６】携帯端末において表示される画面の他の例を示す図である。
【図１７】図１の会議支援システムの構成の変形例を示す図である。
【図１８】携帯端末において表示される画面のさらに他の例を示す図である。
【図１９】携帯端末において表示される画面に対して定義される領域を説明するための図である。
【図２０】図１の会議支援システムの変形例において利用されるタグ関連テーブルの内容を模式的に示す図である。
【発明を実施するための形態】
【００２０】
以下、本発明について、図面を参照して説明する。なお、以下の説明において、同一の機能および作用を有する要素については、同じ符号を付し、重複する説明を繰返さない。
【００２１】
＜システムの概略構成＞
図１は、コンテンツ表示支援システムの一実施の形態である会議支援システムの概略構成を示す図である。
【００２２】
本実施の形態のシステムは、コンピューター１００と、携帯端末２００と、サーバー３００と、プロジェクター４００とを含む。当該システムでは、これらはネットワーク５００を介して通信可能に構成されている。本実施の形態の会議支援システムは、プロジェクター４００によって資料が投影されながら行なわれるプレゼンテーションを支援するためのシステムである。本実施の形態では、サーバー３００により、コンテンツ表示支援装置が構成される。
【００２３】
図２は、図１の会議支援システムにおける情報の流れを説明するための図である。さらに図２を参照して、会議支援システムでは、コンピューター１００は、プレゼンターによって操作され、投影させるための資料のデータをプロジェクター４００に対して送信する。これに応じて、プロジェクター４００は、資料の映像を投影する。
【００２４】
なお、コンピューター１００は、当該コンピューター１００を操作するユーザーからの指示により、資料であるコンテンツのページ番号の指定を受け付ける。そして、コンピューター１００は、当該コンテンツのうち、指定されたページ番号のデータを、プロジェクター４００に送信する。
【００２５】
一方、コンピューター１００は、上記のように指定されたページ番号を、サーバー３００に送信する。
【００２６】
携帯端末２００は、サーバー３００に、当該携帯端末２００の位置情報を送信する。
サーバー３００には、上記コンテンツを配信するのに適した位置の範囲が記憶されている。サーバー３００は、上記携帯端末２００から受信した位置情報が当該範囲内にある場合に、当該携帯端末を上記コンテンツの送信対象とする。
【００２７】
サーバー３００には、ページ番号とタグとを関連付ける情報が格納されている。そして、サーバー３００は、上記のように指定されたページ番号のページ情報と上記ページ番号に関連付けられているタグとを合成した画面を生成し、上記コンテンツの送信対象とされた携帯端末２００に、当該画面を表示するためのデータを送信する。
【００２８】
これにより、本実施の形態の会議支援システムでは、携帯端末２００において、プロジェクター４００から投影される資料とともに、当該資料において表示対象となっているページ番号に対応したタグが表示される。
【００２９】
なお、サーバー３００は、コンピューター１００からページ番号を指定する情報を受信した場合、携帯端末２００に対して、当該指定されたページ番号に関連付けられたタグのみを、（ページ番号に対応したページ情報と合成することなく）送信する場合もある。
【００３０】
＜携帯端末の構成＞
図３は、携帯端末２００のハードウェア構成の具体例を示す図である。
【００３１】
図３を参照して、携帯端末２００は、全体を制御するための演算装置であるＣＰＵ（Central  Processing  Unit）２０と、ＣＰＵ２０で実行されるプログラムなどを記憶するためのＲＯＭ（Read  Only  Memory）２１と、ＣＰＵ２０でプログラムを実行する際の作業領域として機能するためのＲＡＭ（Random  Access  Memory）２２と、磁気センサーを含んで当該携帯端末２００の向きを検出するための電子コンパス２３と、ＧＰＳ（Global  Positioning  System）信号または基地局からの位置信号を受信して当該携帯端末の位置情報を取得するためのＧＰＳコントローラー２４と、情報を表示したり当該携帯端末２００に対する操作入力を受付けたりするためのタッチパネルを含んだ操作パネル２５と、カメラ２６と、図示しない基地局と通信することによる電話回線を介した通信を制御するための第１通信コントローラー２７と、Ｂｌｕｅｔｏｏｔｈ（登録商標）を利用した無線通信を制御するための第２通信コントローラー２８と、電話帳データなどを記憶するためメモリー２９とを含む。
【００３２】
操作パネル２５は、液晶表示装置などの表示装置と光学式タッチパネルや静電容量タッチパネルなどの位置指示装置とが重なって構成されたタッチパネルと、操作キーとを含む。
【００３３】
ＣＰＵ２０は予め記憶されている画面表示をさせるためのデータに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００３４】
また、電子コンパス２３およびＧＰＳコントローラー２４は、取得した当該携帯端末２００の向きや位置情報を示す信号をＣＰＵ２０に入力する。そして、後述するように、携帯端末２００は、これらの向きや位置情報を、サーバー３００に送信する。つまり、本システムでは、セカイカメラの技術を適用することができる。
【００３５】
また、ＣＰＵ２０は、サーバー３００から受信した情報に応じた画面やタグを操作パネル２５に表示する。特に、ＣＰＵ２０は、サーバー３００からタグを受信した場合、当該タグを、カメラ２６によって撮影された画像に重畳させて、もしくは、当該画像と並列させて、操作パネル２５に表示させることができる。
【００３６】
＜サーバーの構成＞
図４は、サーバー３００のハードウェア構成の具体例を示す図である。
【００３７】
図４を参照して、サーバー３００は上述のように一般的なコンピューター等によって構成されるものであり、一例として、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、後述するタグ関連テーブル等の種々の情報を記憶するためのＨＤ（Hard  Disk）３３と、電話回線を介した通信を制御するための通信コントローラー３４と、Ｂｌｕｅｔｏｏｔｈ（登録商標）を利用した無線通信を制御するためのネットワークコントローラー３５とを含む。
【００３８】
＜タブ関連テーブル＞
上記したように、サーバー３００のＨＤ３３には、タグ関連テーブルが格納されている。タグ関連テーブルとは、携帯端末２００においてコンテンツとともに表示するタグと、コンテンツ内の表示対象とされているページとを関連付けるためのテーブルである。図５は、タグ関連テーブルの内容を模式的に示す図である。
【００３９】
図５を参照して、タグ関連テーブルでは、コンテンツの文書名と、表示対象となっているページの番号と、Ａ〜Ｅ等で特定されるタグとが、関連付けられている。
【００４０】
なお、本実施の形態において、ＨＤ３３に格納される情報は、上記タグと上記ページとを関連付けるための情報であれば、記憶形式は図５に示されたようなテーブル形式に限定されない。
【００４１】
＜詳細情報登録テーブル＞
サーバー３００のＨＤ３３には、さらに詳細情報登録テーブルが格納されている。詳細情報登録テーブルは、タグ関連テーブルに登録されたタグがリンクするファイル等を特定するためのテーブルである。図８は、詳細情報登録テーブルの内容を模式的に示す図である。
【００４２】
図８を参照して、詳細情報登録テーブルでは、タグと、当該タグ内に表示されるコメント（タグコメント）と、当該タグがリンクされるファイル（詳細）とが、関連付けられている。
【００４３】
なお、本実施の形態において、ＨＤ３３に格納される情報は、上記タグと上記タグコメントと上記詳細とを関連付けるための情報であれば、記憶形式は図６に示されたようなテーブル形式に限定されない。
【００４４】
また、すべてのタグにファイルがリンクされていなくても良い。
＜表示態様＞
図６および図７は、携帯端末２００において表示される画面の内容を説明するための図である。
【００４５】
図６（Ａ）には、プロジェクター４００によって投影される画面の一例が示されている。そして、図６（Ｂ）には、当該画面が上記のようにタグと合成されて携帯端末２００の操作パネル２５に表示される画面の一例が示されている。
【００４６】
図６（Ａ）の画面８０１は、図５の文書名「プレゼン．ｐｐｔ」の第１頁の画面である。図６（Ｂ）の操作パネル２５内には、画面８０１に表示された内容にかぶせられるようにタグ９０１とタグ９０２を含む画面が表示されている。タグ９０１は、図５中のタグＡに相当するタグである。タグ９０２は、図５中のタグＢに相当するタグである。タグ９０１内には、図８の詳細情報登録テーブルにおいてタグＡに対応するタグコメント（ＡＡＡ機能とは）が表示されている。また、タグ９０２内には、当該テーブルにおいてタグＢに対応するタグコメント（ＢＢＢ機能とは）が表示されている。
【００４７】
図７（Ａ）には、プロジェクター４００によって投影される画面の他の例が示されている。そして、図７（Ｂ）には、図７（Ａ）の画面が上記のようにタグと合成されて携帯端末２００の操作パネル２５に表示される画面の一例が示されている。
【００４８】
図７（Ａ）の画面８０２は、図５の文書名「プレゼン．ｐｐｔ」の第２頁の画面である。図７（Ｂ）の操作パネル２５内には、画面８０２に表示された内容にかぶせられるようにタグ９０３〜９０６を含む画面が表示されている。タグ９０３〜９０６は、それぞれ、図５中のタグＣ，Ｄ，Ｅ，Ｆに相当するタグである。
【００４９】
タグ９０３内には、図８の詳細情報登録テーブルにおいてタグＣに対応するタグコメント（Ｃ機能とは）が表示されている。また、タグ９０４内には、当該テーブルにおいてタグＤに対応するタグコメント（Ｄ機能とは）が表示されている。また、タグ９０５内には、当該テーブルにおいてタグＥに対応するタグコメント（Ｃパフォーマンス）が表示されている。また、タグ９０６内には、当該テーブルにおいてタグＦに対応するタグコメント（Ｄパフォーマンス）が表示されている。
【００５０】
以上、図６および図７を参照して説明したように、本実施の形態では、携帯端末２００においてプロジェクター４００が投影する画面とともに表示されるタグは、表示される画面のコンテンツ中のページ番号に従って、変更される。当該変更は、図５に示されるタグ関連テーブルの内容に従う。
【００５１】
なお、タグの表示態様は、図６（Ｂ）および図７（Ｂ）を参照して説明したように、コンテンツのページに対応した画面（図６（Ａ）または図７（Ａ））にかぶせられて表示されても良いし、上記画面と重ならないように並べて表示されても良い。
【００５２】
図８を参照して説明したように、表示されるタグ（の少なくとも一部）には、ファイル等がリンクされている。このリンクは、たとえば、携帯端末２００においてタグに対してタッチ操作がなされたときに利用される。
【００５３】
たとえば、図６（Ｂ）に示された画面が携帯端末２００の操作パネル２５において表示されているときに、タグ９０５に対して操作がなされると、操作パネル２５には、図９に示されるように、タグ９０５がリンクする情報が表示される。
【００５４】
図９は、操作パネル２５における表示画面の一例である。図９の操作パネル２５には、タグ９０５がリンクするファイルを表示するための表示欄９０５Ａが表示されている。
【００５５】
具体的には、操作パネル２５においてタグ９０５に対する操作（たとえば、タッチ操作）がなされると、当該操作がなされた旨の情報がサーバー３００へ送信される。サーバー３００は、これに応じて、詳細情報登録テーブル（図８）において当該タグ９０５にリンクされているファイル（図８中の「Ｃパフォーマンス見積もり．ｘｌｓ」）を読み出し、図７（Ｂ）に示した画面においてタグ９０５を当該ファイルの表示画面に入れ替えた画面を生成し、携帯端末２００へ送信する。これに応じて、携帯端末２００では、図９に示すように、当該画面を操作パネル２５で表示する。
【００５６】
本実施の形態において、図６（Ａ）の画面８０１には「ＡＡＡ機能」「ＢＢＢ機能」という項目が表示され、そして、図６（Ｂ）の携帯端末２００の表示画面では、これらの項目に関するタグ（タグ９０１，９０２）が表示される。また、図７（Ａ）の画面８０２には「Ｃ機能」「Ｄ機能」という項目が表示され、そして、図７（Ｂ）の携帯端末２００の表示画面では、これらの項目に関するタグ（タグ９０３〜９０６）が表示される。
【００５７】
つまり、本実施の形態では、サーバー３００は、プロジェクター４００が投影する画面に、当該画面に表示された項目に関連するタグを合成させて、携帯端末２００へ表示させることができる。これにより、携帯端末２００のユーザーは、プロジェクター４００が投影する画面に表示された内容に含まれる項目について、より詳細な情報を取得することができる。なお、図６（Ｂ）に示された画面では、タグ９０１，９０２には、項目の名称のみが表示されていたが、項目についての詳細な内容が表示されても良い。これは、詳細な内容を、図８のタグコメントとして登録しておくことにより、実現できる。
【００５８】
また、図９を参照して説明したように、携帯端末２００において、タグに対する操作がなされたときには、当該タグにリンクされた情報が表示される。これにより、携帯端末２００のユーザーは、画面に表示されたタグに対して操作することにより、必要に応じて、プロジェクター４００が投影された項目についての詳細な情報を取得することができる。
【００５９】
＜タグ表示処理＞
図１０は、サーバー３００のＣＰＵ３０が実行するタグ表示処理のフローチャートである。表示処理は、図６および図７を参照して説明したように、プロジェクター４００によって投影されるコンテンツの各ページを、携帯端末２００において、タグを追加して表示させるための処理である。
【００６０】
上記したように、携帯端末２００では、電子コンパス２３およびＧＰＳコントローラー２４は、取得した当該携帯端末２００の向きや位置情報を示す信号をＣＰＵ２０に入力する。なお、携帯端末２００では、上記したようなタグ付きの画面を表示させるためのアプリケーションが実行されると、ＣＰＵ２０は、たとえば第２通信コントローラー２８を介した無線通信により、サーバー３００に対し、タグを追加された画面のデータを要求する信号とともに、上記した向きおよび位置情報を送信する。
【００６１】
サーバー３００では、ＣＰＵ３０は、たとえばこのような携帯端末２００からの情報を受信したことに応じて、タグ表示処理を開始する。
【００６２】
図１０を参照して、ＣＰＵ３０は、ステップＳ１０において、端末情報を取得したか否かを判断する。端末情報とは、携帯端末２００の向きおよび位置情報であり、より具体的には、プロジェクター４００によって投影されるコンテンツのページをタグ付きで表示するためのデータを要求する端末の向きおよび位置情報である。そして、ＣＰＵ３０は、端末情報を取得したと判断するとステップＳ２０へ処理を進める。
【００６３】
ステップＳ２０では、ＣＰＵ３０は、上記端末情報によって特定される携帯端末２００の位置が、コンテンツの配信の対象となる位置であるか否かを判断する。なお、コンピューター１００は、たとえば、コンテンツとともにコンテンツの配信の対象となる領域を特定する情報をサーバー３００へ送信する。そして、ＣＰＵ３０は、携帯端末２００から取得した位置情報によって特定される位置が、上記領域の中に位置する場合には、携帯端末２００の位置がコンテンツの配信の対象となる位置にあると判断して、ステップＳ３０へ処理を進める。一方、取得した位置情報によって特定される位置が上記領域に含まれない場合には、ＣＰＵ３０は、携帯端末２００の位置がコンテンツの配信の対象となる位置にはないと判断して、ステップＳ１０へ処理を戻す。
【００６４】
ステップＳ３０では、ＣＰＵ３０は、コンピューター１００から、当該コンピューター１００がプロジェクター４００に投影させているコンテンツ（表示対象となっているコンテンツ）の進度情報を取得して、ステップＳ４０へ処理を進める。
【００６５】
ここで、進度情報とは、図５を参照して説明したよなタグ関連テーブルに基づいて携帯端末２００に表示させるタグを決定するための情報である。本実施の形態では、タグ関連テーブルにおいて、タグは、文書名とページ番号に関連付けられている。よって、ＣＰＵ３０は、進度情報として、コンピューター１００から、表示対象となっているコンテンツの文書名とページ番号とを取得する。なお、時刻に従って表示対象となるコンテンツが決定されている場合等、ＣＰＵ３０がコンピューター１００から情報を取得することなく表示対象のコンテンツを特定できる場合には、進度情報として、ページ番号のみを取得する。
【００６６】
ステップＳ４０では、ＣＰＵ３０は、合成用情報を取得して、ステップＳ５０へ処理を進める。合成用情報とは、携帯端末２００において表示させるコンテンツとタグを特定する情報である。コンテンツを特定する情報とは、進度情報に対応するコンテンツのページを特定する情報である。タグを特定する情報は、タグ関連テーブルにおいてステップＳ３０（または、後述するステップＳ９０）で取得された進度情報に関連付けられているタグを特定することにより取得される。
【００６７】
ステップＳ５０では、ＣＰＵ３０は、タグとコンテンツの合成画像を生成して、ステップＳ６０へ処理を進める。これにより、図６（Ｂ）や図７（Ｂ）で示したような表示画面が生成される。ここで、合成される画像は、プロジェクター４００によって表示対象とされているコンテンツのデータとタグとが合成されることにより生成される。表示対象となっているコンテンツのデータは、ＨＤ３３に格納されていても良いし、ＣＰＵ３０がコンピューター１００に要求することによりコンピューター１００から受信してＲＡＭ３２に格納されていても良い。また、タグとは、ステップＳ４０において取得された情報によって特定されるタグである。
【００６８】
ステップＳ６０では、ＣＰＵ３０は、ステップＳ５０で生成した合成画像を携帯端末２００へ送信して、ステップＳ７０へ処理を進める。これにより、携帯端末２００の操作パネル２５において、図６（Ｂ）または図７（Ｂ）を参照して説明したような画面が表示される。
【００６９】
ステップＳ７０では、ＣＰＵ３０は、携帯端末２００から情報の要求を取得したか否かを判断する。携帯端末２００のＣＰＵ２０は、図６（Ｂ）または図７（Ｂ）を参照して説明したような画面において表示されたタグに対してタッチ操作等の操作がなされると、第２通信コントローラー２８を介して、サーバー３００へ、タグに対する操作があったことと操作の対象となったタグを特定する情報とを送信する。ＣＰＵ３０は、ＣＰＵ２０がこれらの情報を送信したことによって、携帯端末２００から情報の要求を取得したと判断する。そして、ＣＰＵ３０は、携帯端末２００から情報の要求を取得したと判断するとステップＳ９０へ処理を進め、取得していないと判断するとステップＳ８０へ処理を進める。
【００７０】
ステップＳ８０では、ＣＰＵ３０は、取得した情報に応じて携帯端末２００に表示させる新たな画像を生成し、送信して、ステップＳ７０へ処理を戻す。ここで、新たな画像とは、表示対象とされているコンテンツのページと携帯端末２００において操作対象となったタグに対応したリンク情報とが合成された画像である。携帯端末２００において操作対象となったタグを特定する情報は、ステップＳ７０でＣＰＵ３０が取得した情報要求に含まれる。これにより、携帯端末２００において図７（Ｂ）のタグ９０５が操作されたことに応じて、携帯端末２００に、図９に示された画面の画像データが表示される。
【００７１】
ステップＳ９０では、ＣＰＵ３０は、進度情報が更新されたか否かを判断し、更新されたと判断するとステップＳ４０へ処理を戻し、更新されていないと判断するとステップＳ１００へ処理を進める。なお、たとえば、コンピューター１００は、当該コンピューター１００のユーザー（プレゼンター）からの、プロジェクター４００に投影（表示）させるコンテンツのページ番号を更新する情報を受け付けると、プロジェクター４００に、更新後のページ番号に対応する画像を送信するとともに、サーバー３００へ、更新後のページ番号を送信する。ＣＰＵ３０は、当該更新後のページ番号を受信すると、進度情報が更新されたと判断する。
【００７２】
ステップＳ１００では、ＣＰＵ３０は、コンテンツの表示が終了したか否かを判断し、終了していないと判断するとステップＳ７０へ処理を戻し、終了したと判断するとタグ表示処理を終了させる。
【００７３】
なお、以上説明したタグ表示処理において、ＣＰＵ３０は、ステップＳ３０において進度情報を取得した後、ステップＳ４０において、合成用情報としてコンテンツを特定する情報とタグを特定する情報を取得しているが、ここで、ＣＰＵ３０は、タグを特定する情報のみを取得しても良い。この場合、ステップＳ５０の処理は省略され、そして、ステップＳ６０では、「タグを特定する情報」によって特定されるタグを携帯端末２００へ送信する。この場合、携帯端末２００のＣＰＵ２０は、当該タグを操作パネル２５に表示させる。なお、携帯端末２００においてカメラ２６によって撮影された画像が表示されている場合には、ＣＰＵ２０は、当該画像とともに、サーバー３００から受信したタグを操作パネル２５に表示させる。これにより、ユーザーは、図６（Ａ）の画面８０１（プロジェクター４００によって投影される画面）をカメラ２６で撮影して操作パネル２５に表示させながら、さらに、タグ９０１およびタグ９０２（図６（Ｂ））を、当該操作パネル２５に表示させることができる。
【００７４】
＜変形例＞
以上説明した本実施の形態では、サーバー３００から携帯端末２００へ、プロジェクター４００による投影（表示）の対象となっているコンテンツについての表示の進度情報に対応したタグが、送信される。なお、本実施の形態では、図６（Ｂ）等を参照して説明されたように、コンテンツとタグが合成された画像が、携帯端末２００へ送信されるが、少なくともタグが携帯端末２００へ送信されれば良い。これにより、携帯端末２００のユーザーは、プロジェクター４００によって投影されるコンテンツを参照しながら、携帯端末２００において、表示対象となっているコンテンツのページに関連して表示されるタグを参照することにより、コンテンツについて詳細な情報を取得できる。
【００７５】
また、サーバー３００から携帯端末２００へは、コンテンツとタグが合成された画像が送信される代わりに、タグのみが送信される場合もある。
【００７６】
また、携帯端末２００において、表示されるタグに対する操作がなされると、さらに、当該タグにリンクされたファイルが表示される。ファイルの表示態様は、図９を参照して説明されたが、これに限らず、図１１に示されるように、操作されたタグ９０５が表示欄９０５Ａに重ねられて表示されるものであっても良い。
【００７７】
また、本実施の形態では、進度情報として、コンテンツのページ情報が利用されたが、これに限定されず、プロジェクター４００によりコンテンツの表示開始からの経過時間によって特定されても良い。なお、表示開始時とは、たとえば、コンピューター１００からプロジェクター４００にコンテンツの最初のページの表示の指示が送信された時とすることができる。
【００７８】
この場合、ＨＤ３３に登録されるタグ関連テーブルは、たとえば図１２に示すように構成される。
【００７９】
図１２では、表示開始時間および表示終了時間に、タグが関連付けられている。表示開始時間とは関連付けられたタグの表示を開始する時間であり、表示終了時間とは関連付けられたタグの表示を終了する時間であり、いずれの時間も、コンテンツの開始時が基準とされている。つまり、図１２のテーブルに従えば、コンテンツの表示開始時から開始後２０分までの間、タグＡおよびタグＢが、コンテンツに関連して表示されるタグとしてサーバー３００から携帯端末２００へ送信される。また、コンテンツの表示の開始後５分から１５分の間は、さらに、タグＢ，タグＣ，タグＤおよびタグＥが、携帯端末２００へ送信される。
【００８０】
また、図７および図９を参照して説明したように、携帯端末２００における操作に応じて、携帯端末２００において表示される内容が更新される。このことから、進度情報は、携帯端末２００における操作に伴ってサーバー３００へ送信される情報（携帯端末２００において操作が行なわれたことを表す情報、および／または、操作対象となったタグの種類等）とすることもできる。
【００８１】
この他にも、進度情報としては、コンテンツのファイル名であっても良い。この場合、タグ関連テーブルでは、タグは、コンテンツのファイル名（文書名）のみに関連付けられる。
【００８２】
図１３は、図２のシステム構成の変形例を示す図である。図２のシステム構成では、サーバー３００からコンテンツのページデータが送信されたが、図１３に示されるように、携帯端末２００は、コンピューター１００から直接ページデータを取得しても良い。この場合、ＣＰＵ２０は、サーバー３００から、表示対象のページに対応したタグとともに、表示対象の文書名とページ番号を取得する。これに応じて、ＣＰＵ２０は、コンピューター１００に対し、表示対象の文書名とページ番号で特定されるコンテンツのページのデータを要求する。これに応じて、コンピューター１００は、要求されたページデータを、携帯端末２００へ送信する。ＣＰＵ２０は、コンピューター１００から受信したページデータとサーバー３００から受信したタグとを合成することにより、図６（Ｂ）等を参照して説明したようなタグ付きの画面を操作パネル２５に表示する。
【００８３】
また、以上説明した本実施の形態では、図９を参照して説明したように、携帯端末２００においてタグが操作されると、当該タグにリンクされたファイルが携帯端末２００において表示される。当該表示されたファイルは、さらにリンクを有していても良い。
【００８４】
また、上記のようにタグにリンクするファイルは、携帯端末２００のユーザーによって区別されても良い。
【００８５】
図１４に、タグ関連テーブルの他の変形例を示す。この場合、タグ関連テーブルには、図１４に示されるように、タグにリンクされる「詳細」が、ユーザーに対して設定されたグループごと（グループＡ，Ｂ）に登録されている。たとえば、タグＣには、グループＡのユーザーには「Ｃパフォーマンス見積もり．ｘｌｓ」というファイルがリンクされ、また、グループＢのユーザーには「Ｃパフォーマンスの詳細情報．ｘｌｓ」というファイルがリンクされている。また、ＨＤ３３には、ユーザーをグループ分けするための情報が登録されている。
【００８６】
図１５は、ユーザーをグループ分けするための情報の内容の一例を模式的に示す図である。図１５では、グループＡとグループＢのそれぞれについて、構成するユーザーを特定する情報が登録されている。具体的には、グループＢは、ユーザーＩＤが「０００１」「０００２」「０００４」「００３６」のユーザーにより構成される。そして、グループＡは、それ以外のＩＤを有するユーザーから構成される。
【００８７】
そして、このような変形例では、携帯端末２００は、図７（Ｂ）の画面中のタグに対して操作がなされると、操作があったことおよび操作対象となったタグを特定する情報とともに、当該携帯端末２００を操作しているユーザーのＩＤを、サーバー３００へ送信する。ＣＰＵ２０は、たとえば、ユーザーにログインを要求することにより、ユーザーのＩＤを取得している。そして、ＣＰＵ２０からユーザーＩＤを受信することにより、ＣＰＵ３０は、携帯端末２００を操作しているユーザーのＩＤを取得し、当該ＩＤと図１５に示した情報に基づいてユーザーのグループを特定し、そして、当該グループと図１４に示した情報に基づいて、ステップＳ８０において携帯端末２００へ送信するファイルの種類を決定する。
【００８８】
また、以上説明した本実施の形態において、タグにリンクするファイルが、別のファイルにリンクされたタグを含んでいても良い。この場合、図７（Ｂ）の画面においてタグ９０５が操作された場合、携帯端末２００では、図１６に示されるような画面が表示される。図１６は、携帯端末２００において表示される画面の他の例を示す図である。
【００８９】
図１６を参照して、携帯端末２００の操作パネル２５には、タグ９０５にリンクされたファイルが表示欄９０５Ｂに表示されている。表示欄９０５Ｂは、リンク情報を有するタグ９０５Ｃを含む。携帯端末２００においてタグ９０５Ｃが操作されると、携帯端末２００の操作パネル２５には、当該タグ９０５Ｃにリンクされた情報が表示される。
【００９０】
また、以上説明した本実施の形態において、ステップＳ２０では、携帯端末２００が、コンテンツの表示対象の範囲に位置することを条件として、ステップＳ３０以降へ処理が進められ、タグの送信等がなされた。このような条件の変形例としては、タグを送信して良い期間内であるか、および／または、携帯端末２００のユーザーが特定のユーザーであることを挙げることができる。このような変形例では、ステップＳ２０では、その時点が、予め定められた所定の期間中であるか否かが判断され、期間中であれば、ステップＳ３０以降へ処理が進められる。また、ステップＳ２０では、携帯端末２００から受信したユーザーＩＤが所定のＩＤであるか否かが判断され、所定のＩＤであれば、ステップＳ３０以降へ処理が進められる。
【００９１】
また、本実施の形態では、システムが、複数の携帯端末２００を含み、各携帯端末２００における操作内容（操作の有無、等）に応じて、タグを表示するか否かが、決定されても良い。
【００９２】
図１７は、図１の会議支援システムの構成の変形例を示す図である。図１７の変形例では、ネットワーク５００を介して、複数の携帯端末２００がサーバー３００と通信可能に構成されている。本変形例では、携帯端末２００の操作パネル２５では、図１８に示されるように、プロジェクター４００によって投影される映像のみが表示される。なお、携帯端末２００では、図１９に示されるように、縦横のそれぞれに４ずつ、合計１６の領域が定義されている。図１９では、Ａ１〜Ｄ４の１６の領域が示されている。なお、１６の領域は、縦方向がＡ，Ｂ，Ｃ，Ｄで特定され、横方向が１〜４で特定される。これらの領域は、操作パネル２５に対して設定されているものであって、実際に操作パネル２５には表示されなくても良い。図２０は、本変形例において利用されるタグ関連テーブルの内容を模式的に示す図である。
【００９３】
図２０では、タグは、文書名およびページに加え、領域にも関連付けられている。本変形例では、携帯端末２００において、それぞれのタグに関連付けられている領域に対して操作がなされたことにより、携帯端末２００において、対応するタグが表示される。つまり、たとえば、表示対象のコンテンツが、ファイル「プレゼン.ppt」の第１ページであるときに、操作パネル２５の中の「Ｂ２」の領域に対して、タッチ操作等の操作がなされると、携帯端末２００では、当該ページに対応するタグ（タグＡおよびタグＢ）が表示される。
【００９４】
また、このような変形例において、会議支援システムを構成する複数の携帯端末２００のうち所定数以上の携帯端末２００において、図２０のテーブルで表示対象のコンテンツに関連付けられた領域が操作されたことに応じて、すべての携帯端末２００において、当該コンテンツに関連付けられたタグが表示されても良い。これにより、所定数以上の携帯端末２００のユーザーがプレゼンテーションに興味を持った場合、当該プレゼンテーションについての詳細な情報がすべての携帯端末２００において表示されることになる。
【００９５】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態およびその変形例として示された技術は、単独でも、可能な限り組み合わされても、実施されることが意図される。
【符号の説明】
【００９６】
２０，３０  ＣＰＵ、２３  電子コンパス、２４  コントローラー、２５  操作パネル、２６  カメラ、２７  第１通信コントローラー、２８  第２通信コントローラー、２９  メモリー、３１  ＲＯＭ、３２  ＲＡＭ、３４  通信コントローラー、３５  ネットワークコントローラー、１００  コンピューター、２００  携帯端末、３００  サーバー、４００  プロジェクター、５００  ネットワーク。
【図１】
2013025565.tif 000003
【図２】
2013025565.tif 000004
【図３】
2013025565.tif 000005
【図４】
2013025565.tif 000006
【図５】
2013025565.tif 000007
【図６】
2013025565.tif 000008
【図７】
2013025565.tif 000009
【図８】
2013025565.tif 000010
【図９】
2013025565.tif 000011
【図１０】
2013025565.tif 000012
【図１１】
2013025565.tif 000013
【図１２】
2013025565.tif 000014
【図１３】
2013025565.tif 000015
【図１４】
2013025565.tif 000016
【図１５】
2013025565.tif 000017
【図１６】
2013025565.tif 000018
【図１７】
2013025565.tif 000019
【図１８】
2013025565.tif 000020
【図１９】
2013025565.tif 000021
【図２０】
2013025565.tif 000022